(57)【要約】 【課題】外枠に長穴を設けたりすることがなく確実に不正を防止できて、上下、前後方向の位置調整可能な遊技機の鍵受け装置を提供する。【解決手段】外枠の内側面に縦方向に敷設されたレール部材４と、このレール部材に取り付けられた鍵受け部材５とからなる遊技機の鍵受け装置であって、前記鍵受け部材５は、レール部材４に遊技機の上下方向にスライド可能に支承されたベース板６と、ベース板６に遊技機の前後方向にスライド可能に支承された前後位置調整板７とからなる。レール部材４は、鍵受け部材５を上下方向にスライドさせる縦レール４１を有しており、鍵受け部材５は、固定用の支持板８を有しており、支持板８とベース板６とで縦レール４１を挟み込むことで鍵受け部材５を上下方向にスライド可能に支承する。【選択図】  図４
2011245070.tif 000002
【特許請求の範囲】
【請求項１】
外枠の内側面に縦方向に敷設されたレール部材と、このレール部材に取り付けられた鍵受け部材とからなる遊技機の鍵受け装置であって、
前記鍵受け部材は、レール部材に遊技機の上下方向にスライド可能に支承されたベース板と、ベース板に遊技機の前後方向にスライド可能に支承された前後位置調整板とからなることを特徴とする遊技機の鍵受け装置。
【請求項２】
レール部材は、鍵受け部材を上下方向にスライドさせる縦レールを有しており、鍵受け部材は、縦レールに固定用の支持板を有しており、支持板とベース板とで縦レールを挟み込むことで鍵受け部材が上下方向にスライド可能に支承された請求項１に記載の遊技機の鍵受け装置。
【発明の詳細な説明】
【技術分野】
【０００１】
本発明は、遊技機の本体枠のフックを外枠に設けた鍵受けに係止させて、本体枠を外枠に錠止するための遊技機の鍵受け装置に関する。
【背景技術】
【０００２】
パチンコ機やスロットマシンなどの遊技機は、例えば特許文献１の図１に記載されているように、外枠と、この外枠にヒンジにて開閉可能に取り付けられた本体枠とからなる。本体枠の開閉側には外枠に錠止されるための施錠装置を備えている。施錠装置は、シリンダー錠などからなり、鍵の回動操作によってフックを上下動させるリンク機構を有している。外枠の開閉側には、そのフックを係留する鍵受けが配設されている。
【０００３】
鍵受けは、側面視略Ｌ字状の金属片であって、フックを係留するための係留部と、外枠に取り付けられるための台座部とからなる。台座部に設けられたネジ穴にネジが差し込まれて、鍵受けが外枠に固定されている。これによって、本体枠の閉鎖時には、フックが鍵受けに係留されて施錠された状態となる。本体枠を開くときには、鍵穴に鍵を差し込んで回動することで、フックを鍵受けから離脱させて係留を解くことで施錠を解除することができる。
【０００４】
以上のように構成されたものにおいては、本体枠と外枠の外寸は各メーカーとも共通であるが、フックの位置はメーカーや機種によって異なっている。しかしながら従来の鍵受けは外枠に固定されているためにフックの位置変化に対応することができなかった。そのため遊技機を入れ替える場合には、本体枠とともに外枠も交換せねばならないという問題があった。
【０００５】
以上のような問題を解決するために、特許文献１の図３には、鍵受けの台座部に水平方向の長穴を設け、外枠には垂直方向に伸びる長穴を設けて、ネジの水平、垂直移動によって、鍵受けの上下、前後方向の位置を調整可能とした鍵受け装置が記載されている。
【０００６】
しかしながら、上記開示に係るものは、外枠に長穴が形成されていることから、長穴の隙間から針金などを差し込んで施錠を解除される可能性があって、不正防止上好ましくはない。また、鍵受けを３つ、４つ設けた場合には、長穴の数もそれに対応して増やさねばならず、ますます不正を行うことが容易になってしまうという問題があった。さらに外枠に長穴が形成されるため、外枠の強度が低下するという問題があった。
【先行技術文献】
【特許文献】
【０００７】
【特許文献１】特開２００２−５２２１８号公報
【発明の概要】
【発明が解決しようとする課題】
【０００８】
本発明は、上記した従来の問題点に鑑み、外枠に長穴を設けたりすることがなく確実に不正を防止し、かつ外枠の強度も確保できる、上下、前後方向の位置調整可能な遊技機の鍵受け装置を提供することを課題とする。
【課題を解決するための手段】
【０００９】
上記の課題を解決するためになされた本発明に係る遊技機の鍵受け装置は、外枠の内側面に縦方向に敷設されたレール部材と、このレール部材に取り付けられた鍵受け部材とからなる遊技機の鍵受け装置であって、
前記鍵受け部材は、レール部材に遊技機の上下方向にスライド可能に支承されたベース板と、ベース板に遊技機の前後方向にスライド可能に支承された前後位置調整板とからなることを特徴とするものである。
【００１０】
上記した発明において、レール部材は、鍵受け部材を上下方向にスライドさせる縦レールを有しており、鍵受け部材は、縦レールに固定用の支持板を有しており、支持板とベース板とで縦レールを挟み込むことで鍵受け部材を上下方向にスライド可能に支承するものとすることができる。
【発明の効果】
【００１１】
本発明の遊技機の鍵受け装置は、ベース板をレール部材上をスライドさせることにより鍵受けの上下方向の位置を調整することができ、前後位置調整板を水平方向にスライドさせることにより鍵受けの前後方向の位置を調整することができる。したがって、外枠に長穴を設ける必要がないので、不正行為をより確実に防止し、かつ外枠の強度も確保することができる。
【図面の簡単な説明】
【００１２】
【図１】遊技機の外枠の正面図である。
【図２】本体枠の側面図である。
【図３】図１のＡ−Ａ線断面図である。
【図４】鍵受け装置の要部斜視図である。
【図５】鍵受け装置の要部正面図である。
【図６】鍵受け部材の表側斜視図である。
【図７】鍵受け部材の裏側斜視図である。
【図８】図５のＢ−Ｂ線断面図である。
【発明を実施するための形態】
【００１３】
以下に、本発明の実施形態に付いて説明する。
図１は、外枠１の正面図であって、開閉端側の内側面１１に鍵受け装置２が上下に２つ配設されている。鍵受け装置２は、内側に突出する板状の鍵受け７１を有する。図２は、本体枠９の側面図であって、外枠１に設けた鍵受け７１に本体枠９に設けたフック３がかけられて施錠することができる。鍵受け装置２は、図３に示すように、外枠１の開閉端側の内側面１１に螺着されたレール部材４と、このレール部材４に上下方向にスライド可能に装着された鍵受け部材５とからなる。レール部材４と鍵受け部材５は板金で形成されている。
【００１４】
図４、５に示すように、レール部材４は、縦長の矩形で螺着孔４５によって外枠１の内側面１１に固定される枠レール４３と、枠レール４３に固定された一対の縦レール４１、４１とからなる。枠レール４３と縦レール４１とは、枠レール４３に設けた位置決め用のダボ（図示しない）と縦レール４１の位置決め孔４１４とで位置決めをした後、スポット溶接を行うことで両者を固定している。縦レール４１は、位置決め孔４１４を備え枠レール４３に当接して固定される板状の底板４１１と、底板４１１の一端から立設される側板４１２と、側板４１２の他端から底板４１１とは反対方向に延出された上板４１３とからなり、底板４１１と上板４１３とは平行に設けられている。一対の縦レール４１、４１は上下方向に伸びる溝部４２を間にして左右対称に設けられているので、レール部材４は、枠レール４３と側板４１２と上板４１３とに囲まれた断面が矩形状の空間４４を備えている。
【００１５】
図６〜８に示すように、鍵受け部材５は、レール部材４の空間４４に挿入される支持板８と、支持板８とで縦レール４１の上板４１３を挟んで遊技機の上下方向にスライド可能に支承されるベース板６と、ベース板６に遊技機の前後方向にスライド可能に支承され鍵受け７１が立設された前後位置調整板７とからなる。ベース板６は、板状のベース部６１と、縦レール４１に各々当接される前側位置決め部６２と後側位置決め部６６と、前後位置調整板７の前後方向以外の移動を規制する支持部６５aと６５bとからなる。前側位置決め部６２と後側位置決め部６６とはベース板６の前後両端をそれぞれ遊技機の外側に折り曲げて形成され、支持部６５aと６５bとは、後部側の上下両端を一度遊技機の内側に折り曲げた後さらに各々下側と上側に折り曲げて形成されている。ベース部６１には、縦レール４１を挟んで支持板８を支承するための逃し穴６３と、前後位置調整板７の位置固定用のネジ穴６４とが設けられている。支持部６５a、６５bの間には、前後位置調整板７の基部７３が前後方向にスライド可能に装着されている。
【００１６】
前後位置調整板７は、前後方向に伸びる水平の長穴７２を有する基部７３と、基部７３の前端に立設された鍵受け７１とからなる。
【００１７】
支持板８は、縦レール４１に当接される縦長で矩形の当接部８１からなる。当接部８１には、逃し穴６３に連通する２つのネジ穴８２と、２つのネジ穴８２の間にネジ穴６４に連通する逃し穴８３とが設けられており、短手方向の幅は溝部４２の幅よりも広くなっている。ネジ穴６４にはタッピング加工が施してあり、長穴７２の短手方向の幅はネジ（図示しない）の径よりも広くなっているため、前後位置調整板７からベース板６に向ってネジを螺入するとネジとベース板６とが螺着され、ネジとベース板６とで挟むことで前後位置調整板７の前後方向の位置を固定することができる。この場合、溝部４２の幅と逃し穴８３の径もネジの径よりも広くなっていため、ネジの螺入を邪魔することが無い。また、ネジ穴８２にはタッピング加工が施してあり、逃し穴６３の径はネジ（図示しない）の径よりも広くなっているため、ベース板６から支持板８に向ってネジを螺入するとネジと支持板８とが螺着され、ネジとベース板６とで縦レール４１の上板４１３を挟むことで鍵受け部材５の上下方向の位置を固定することができる。
【００１８】
以上のように構成された鍵受け装置において、フック３と鍵受け７１との位置がずれた場合には、先ず鍵受け部材５をレール部材４上をスライドさせて、鍵受け７１の高さを調整した後に、ネジ逃し穴６３、ネジ穴８２にネジをネジ込んで固定する。しかるのちにフック３の先端が引っかかるように、前後位置調整板７の前後位置を調整した後に、長穴７２、ネジ穴６４、逃し穴８３にネジを螺入して固定する。以上のようにして、鍵受け７１の上下前後方向の位置を、フック３の位置に対応させて調整することができる。
【００１９】
以上の実施例においては、レール部材４を一本の長尺なものとしたが、フック３が上下方向に移動することが想定される最大長さのものとして、上下のフック３に対応させて、短尺としたレール部材４を複数用いることができる。
【符号の説明】
【００２０】
４  レール部材、５  鍵受け部材、６  ベース板、７  前後位置調整板、８  支持板、４１  縦レール、７１  鍵受け、７２  長穴、
【図１】
2011245070.tif 000003
【図２】
2011245070.tif 000004
【図３】
2011245070.tif 000005
【図４】
2011245070.tif 000006
【図５】
2011245070.tif 000007
【図６】
2011245070.tif 000008
【図７】
2011245070.tif 000009
【図８】
2011245070.tif 000010